(57)【要約】【課題】平常時には、椅子・テーブルを備えた照明装置として利用することができ、災害発生時、事故発生時には、支柱本体部に着脱自在に取り付けられた担架を簡単に取り外して、迅速な人命救助を行うことができる、担架付き照明装置を提供することを目的とする。【解決手段】担架付き照明装置であって、それぞれが鉛直方向に延伸されて形成され、互いに略並行に配設された少なくとも３本の支柱を備えた支柱本体部と、前記支柱間に取り付けられたソーラーパネルと、前記支柱の上端部に取り付けられた灯具と、前記支柱本体部に着脱自在に取り付けられた担架と、前記支柱に連結され、設置面上に立設された少なくとも３つの着座可能なベンチと、前記支柱本体部に取り付けられ、前記ソーラーパネルで発電した電力を充電して、該電力を前記灯具に供給する蓄電池と、を備えていることを特徴とする。【選択図】  図１
2018073662.tif 000002
【特許請求の範囲】
【請求項１】
それぞれが鉛直方向に延伸されて形成され、互いに略並行に配設された少なくとも３本の支柱を備えた支柱本体部と、
前記支柱間に取り付けられたソーラーパネルと、
前記支柱の上端部に取り付けられた灯具と、
前記支柱本体部に着脱自在に取り付けられた担架と、
前記支柱に連結され、設置面上に立設された少なくとも３つの着座可能なベンチと、
前記支柱本体部に取り付けられ、前記ソーラーパネルで発電した電力を充電して、該電力を前記灯具に供給する蓄電池と、
を備えていることを特徴とする担架付き照明装置。
【請求項２】
前記支柱本体部には、下部に下部担架着脱部材が設けられ、上部に上部担架着脱部材が設けられ、
前記担架は、前記支柱に対応して少なくとも３体設けられ、それぞれの担架は、平行な２本の支持棒と、この２本の支持棒間に設けられた人体収容部とで形成され、
前記それぞれの担架は、前記２本の支持棒が鉛直方向に配設され、前記２本の支持棒の下部が前記下部担架着脱部材に着脱自在に取り付けられ、前記２本の支持棒の上部が前記上部担架着脱部材に着脱自在に取り付けられている
ことを特徴とする請求項１に記載の担架付き照明装置。
【請求項３】
前記ソーラーパネルの上側であって、前記支柱間に案内表示板が取り付けられ、
前記支柱が貫通され、略水平方向に前記支柱にテーブル板が取り付けられ、
前記支柱と前記ベンチは、ベンチ連結板で連結され、
前記蓄電池は、箱形状の電気制御系収納盤に収納されており、該電気制御系収納盤には、さらに、電気的に照明装置の制御を行う電気制御部が収納されており、前記ソーラーパネルと前記灯具と前記蓄電池と前記電気制御部とが、電線で接続されている
ことを特徴とする請求項１又は請求項２に記載の担架付き照明装置。
【請求項４】
前記支柱は、それぞれ等間隔で配設され、
平面視において、それぞれの支柱の軸心を線分で結んで形成される図形が正三角形をなすように配設されている
ことを特徴とする請求項１乃至請求項３のいずれか１項に記載の担架付き照明装置。
【発明の詳細な説明】
【技術分野】
【０００１】
本発明は、屋内外で用いられる照明装置であって、特に、災害時・緊急時の人命救助のための担架を備えた担架付き照明装置に関するものである。
【背景技術】
【０００２】
従来から、地震・火災・風水害等の災害発生時に人命救助に必要な救助用具、介護用品、生活用品等が収納された収納庫に太陽光発電を利用した照明装置を設けた照明装置付きの防災用収納庫が知られている。このような照明装置付きの防災用収納庫としては、例えば、特許文献１に示す「基礎一体型収納庫」や、特許文献２に示す「地域防災倉庫」などがある。
【０００３】
特許文献１には、「本発明は、街路灯、モニュメント、案内板、標識、ベンチ、電話ボックス等のような公共用のスペースに設置される工作物或いは一般住宅における門柱やカーポート等のような屋外に設置される工作物等（以下、これらを「公共工作物」と総称する。）を設置するために地中に埋設される基礎と一体に構成された収納庫に関し、特に、消火器、発動発電機、照明器具、ロープ、シャベル、油圧ジャッキ、動力カッター、土嚢袋、チェーンソー、救急医療器具、医薬品、非常食、毛布等のような、地震や火災や風水害等の災害の際に必要となる備蓄物（以下、これらを「防災備蓄物」と総称する。）を収納備蓄するための基礎一体型収納庫に関する。」（段落「０００１」、図１、図５参照。）、「また、収納する防災備蓄物としては、設置場所や収納庫部の大きさ等によって適宜に選定されるべきであるが、前述の防災備蓄物以外に、例えば、無線機、鋸、バール、ハンマー、折畳み式担架、衣類、飲料水、消火用水、バケツ、ホウキ、ホース等を挙げることができる」（段落「００３１」参照。）と記載されている。
【０００４】
また、特許文献２には、「太陽光を受けて発電するソーラーパネル（４）と、このソーラーパネル（４）が設置され、かつ前記ソーラーパネル（４）からの発電を蓄えるバッテリ（６）を含んでなる電源装置が内蔵された、開閉自在な扉（３）を有し、コンパクトで運搬に適した箱型の倉庫本体（２）とを備え、前記倉庫本体（２）内には救助・介護用品、生活用品、放送設備、無線通信機材が収納され、かつ前記扉（３）には換気用ファン（１１）、前記放送設備としての外部放送用スピーカ（１６）、テレビモニター（１７）が設けられるとともに、自動点消灯式ＬＥＤランプ（１３）が設けられ、かつ前記電源装置により情報機器へ給電可能としたことを特徴とする地域防災倉庫」（「請求項１」、図１〜図７参照。）、「前記救助・介護用品とは、レスキュー工具、消火器、防水テント、担架、ベッド、医薬品、ＡＥＤを含む用品、前記生活用品とは水や食料品であることを特徴とする地域防災倉庫」（「請求項３」参照。）と記載されている。
【０００５】
また、公園や公共施設等に設置されているベンチに収納部を設け、この収納部に担架を収納することができるものや、ベンチの背もたれや座面を担架として利用可能なものも提案されている。特許文献３には、「ベンチ型のゴミステーション施設１０」において、「太陽光パネル２５から電力の供給を受けて発光する街路灯２６」を備えた「腰掛け機能を発揮するベンチ型外装体２０」にボックス状の「清掃用具収納部２９」を設け、「清掃用具収納部２９の一部には、非常災害時用の折り畳み式担架」を収納することができることが記載されている（段落「００２６」〜「００４３」、図１、図２参照。）。
【先行技術文献】
【特許文献】
【０００６】
【特許文献１】特開平１０−１５２８４６号公報
【特許文献２】特開２０１４−１８９９６４号公報
【特許文献３】登録実用新案第３１７９１４０号公報
【発明の概要】
【発明が解決しようとする課題】
【０００７】
特許文献１〜３に記載の発明は、太陽光発電を利用した照明装置を備えているので、巨大地震、大水害等により商用電源施設が破壊されても照明が確保されるという利点は有しているものの、特許文献１、２に記載の発明は、救助用品、医薬品、食料品その他多種多様の防災備蓄物を収納するため、依然として大掛かりな構成であり、建築費、維持費がかかるものと予想される。また、特許文献１、２に記載の発明は、施錠される構成であるので、緊急時に迅速に開錠されるかどうか不安である。特許文献２には、「電子錠７」を採用して、「災害時には、誰でもが扉を開けることができるように留意して選定されるべきである」（段落「００１７」参照。）との記載もあるが、その具体的な構成は開示されておらず、電子システムやネットワークシステム等のインフラが破壊されるような大災害時には、開錠できない虞もある。
【０００８】
また、特許文献２に記載の発明は、いわゆる、「倉庫」であるので、公園、街路、駅、役所等の公共施設等に設置すると景観を損ねる虞がある。特許文献１に記載の発明は、「収納庫部３」を地下に埋設するので、景観を損ねる虞はないかもしれないが、地下に埋設されると、災害時に倒壊物が蓋を塞いだりして、担架等の収納物を取り出せない虞がある。
【０００９】
これに対し、特許文献３に記載の発明は、公園、道路、公共施設の広場等に設置されるベンチを利用したものであり、構成も小型化されており、街並みの景観を損ねる虞もないが、「清掃用具収納部２９は、ベンチ型外装体２０にボックス状に設けられるもので、清掃時に必要な箒、塵取り、バケツ、雑巾などの清掃具３５が収納される。更に、清掃用具収納部２９の一部には、非常災害時用の折り畳み式担架、非常灯や、人工呼吸再生装置などを収納することもできる。」（段落「００４１」、「００４２」参照。）と記載されているように、「担架」が「折り畳み式」であり、さらに、「清掃時に必要な箒、塵取り、バケツ、雑巾などの清掃具３５」、「非常灯や、人工呼吸再生装置」等、多数の用品と共に「清掃用具収納部２９」に収納されているので、人命救助に一刻を争うような場合に、すぐに取り出すことができない虞もある。
【００１０】
そこで、本発明は、上記課題を解決するためになされたもので、簡単な構成であり、平常時には、椅子・テーブルを備えた照明装置として利用することができ、地震・火災・風水害等の災害発生時、交通事故・急病者等の事故発生時には、支柱本体部に着脱自在に取り付けられた担架を簡単に取り外して、迅速な人命救助を行うことができる、担架付き照明装置を提供することを目的とする。
【課題を解決するための手段】
【００１１】
上記の目的を達成するため、請求項１の発明は、担架付き照明装置であって、それぞれが鉛直方向に延伸されて形成され、互いに略並行に配設された少なくとも３本の支柱を備えた支柱本体部と、前記支柱間に取り付けられたソーラーパネルと、前記支柱の上端部に取り付けられた灯具と、前記支柱本体部に着脱自在に取り付けられた担架と、前記支柱に連結され、設置面上に立設された少なくとも３つの着座可能なベンチと、前記支柱本体部に取り付けられ、前記ソーラーパネルで発電した電力を充電して、該電力を前記灯具に供給する蓄電池と、を備えていることを特徴とする。
【００１２】
また、請求項２の発明は、請求項１に記載の担架付き照明装置であって、前記支柱本体部には、下部に下部担架着脱部材が設けられ、上部に上部担架着脱部材が設けられ、前記担架は、前記支柱に対応して少なくとも３体設けられ、それぞれの担架は、平行な２本の支持棒と、この２本の支持棒間に設けられた人体収容部とで形成され、前記それぞれの担架は、前記２本の支持棒が鉛直方向に配設され、前記２本の支持棒の下部が前記下部担架着脱部材に着脱自在に取り付けられ、前記２本の支持棒の上部が前記上部担架着脱部材に着脱自在に取り付けられていることを特徴とする。
【００１３】
また、請求項３の発明は、請求項１又は請求項２に記載の担架付き照明装置であって、前記ソーラーパネルの上側であって、前記支柱間に案内表示板が取り付けられ、前記支柱が貫通され、略水平方向に前記支柱にテーブル板が取り付けられ、前記支柱と前記ベンチは、ベンチ連結板で連結され、前記蓄電池は、箱形状の電気制御系収納盤に収納されており、該電気制御系収納盤には、さらに、電気的に照明装置の制御を行う電気制御部が収納されており、前記ソーラーパネルと前記灯具と前記蓄電池と前記電気制御部とが、電線で接続されていることを特徴とする。
【００１４】
また、請求項４の発明は、請求項１乃至請求項３のいずれか１項に記載の担架付き照明装置であって、前記支柱は、それぞれ等間隔で配設され、平面視において、それぞれの支柱の軸心を線分で結んで形成される図形が正三角形をなすように配設されていることを特徴とする。
【発明の効果】
【００１５】
本発明の担架付き照明装置によれば、平常時には、椅子・テーブルを備えた照明装置として利用することができ、地震・火災・風水害等の災害発生時、交通事故・急病者等の事故発生時には、支柱本体部に着脱自在に取り付けられた担架を簡単に取り外して、迅速な人命救助を行うことができる。
【００１６】
また、本発明の担架付き照明装置によれば、簡単な構成であるので、設置費用も安価ですみ、また、街並みの景観を損なうことなく、いろんな場所に簡単に設置することができる。
【００１７】
また、本発明の担架付き照明装置によれば、常時、担架が視認可能に設置されているので、担架の設置場所を周知させることができ、災害・事故等発生時の緊急事態でも迅速に利用することができる。
【図面の簡単な説明】
【００１８】
【図１】本発明の実施形態を示す担架付き照明装置の前方右斜め側から見た斜視図である。
【図２】本発明の実施形態を示す担架付き照明装置の正面図である。
【図３】本発明の実施形態を示す担架付き照明装置の右側面図である。
【図４】本発明の実施形態を示す担架付き照明装置の平面図である。
【図５】本発明の実施形態を示す担架付き照明装置の底面図である。
【図６】図４のＡ−Ａ線断面図である。
【図７】図１の担架を取り外した状態を示す斜視図である。
【図８】図２の担架を取り外した状態を示す正面図である。
【図９】図１の担架の着脱の様子を示す図である。
【発明を実施するための形態】
【００１９】
以下、好適な実施形態を用いて本発明をさらに具体的に説明する。但し、下記の実施形態は本発明を具現化した例に過ぎず、本発明はこれに限定されるものではない。
【００２０】
（実施形態）
本発明の実施形態における担架付き照明装置について、図１〜図９を参照しながら説明する。図１は、担架付き照明装置の前方右斜め側から見た斜視図であり、図２は、担架付き照明装置の正面図であり、図３は、担架付き照明装置の右側面図であり、図４は、担架付き照明装置の平面図であり、図５は、担架付き照明装置の底面図であり、図６は、図４のＡ−Ａ線断面図であり、図７は、図１において１つの担架を取り外した状態を示す斜視図であり、図８は、図２において１つの担架を取り外した状態を示す正面図であり、図９は、１つの担架の着脱の様子を示す図である。
【００２１】
本発明の担架付き照明装置は、例えば、公園、街路、役所等の公共施設の屋内外等に設置され、平常時の日中は、公園利用者、通行人、施設利用者等（以下、これらを総称して「利用者等」という。）に、ベンチ、テーブル、案内表示等を利用してもらい、夜間は、防犯を兼ねた照明装置として用いられるものである。照明は、太陽光発電を利用するので、ソーラーパネル、バッテリー（蓄電池）、灯具、電気系制御機構等を備えている。
図示するように、担架付き照明装置１は、それぞれが鉛直方向に延伸された第１の支柱２ａ、第２の支柱２ｂ、第３の支柱２ｃを備えている。それぞれの支柱は、互いに略並行に、等間隔に配設されている。本実施形態では、平面視において、それぞれの支柱の軸心を線分で結んで形成される図形が正三角形をなすように構成されている。そして、この３本の支柱の構成を中心に、案内表示板、ソーラーパネル、灯具、担架、ベンチ等が設置されているので、最低限の部品点数で、３６０度全ての方角から、それぞれの部品が確実に視認できるように構成されている。本実施形態では、第１〜第３の支柱は、防錆・軽量・高強度の金属製材料で四角柱状に形成されている。第１〜第３の支柱２ａ〜２ｃは、後述の第１〜第３の下部担架着脱部材１０ａ〜１０ｃ、第１〜第３の上部担架着脱部材１１ａ〜１１ｃとともに、支柱本体部２を構成している。第１〜第３の支柱２ａ〜２ｂのそれぞれは、同一形状である。
【００２２】
担架付き照明装置１の下部には、利用者等が憩いの場として利用できるように、テーブル板３と、３つのベンチ（第１〜第３のベンチ４ａ〜４ｃ）が設けられている。テーブル板３は、いわゆる、おにぎり型テーブル形状に形成され、第１〜第３の支柱２ａ〜２ｃが貫通されている。この貫通部分で、第１〜第３の支柱２ａ〜２ｃとテーブル板３とが、連結固定されている。担架付き照明装置１は、設置される場所によって、地面、コンクリート面、アスファルト面、タイル面等（以下、これらを総称して「設置面」と定義する。）に設置される。テーブル板３は、利用者等が使いやすいように設置面に略水平に設置される。テーブル板３は、上述したように、おにぎり型テーブル形状をなしているので、３つの丸角部と、丸角部に連接された３つの直線辺とを有している。
【００２３】
第１のベンチ４ａ，第２のベンチ４ｂ，第３のベンチ４ｃは、それぞれ、テーブル板３の３つの直線辺に対向して、設置面に立設されている。利用者等がテーブル３と共用して使用できるように、第１〜第３のベンチ４ａ〜４ｃは、テーブル板３の外側に適切な間隙を有して配置されている。第１〜第３のベンチ４ａ〜４ｃは、それぞれ、同一形状であり、長さ、幅、高さ等は、利用者等が使いやすいように形成され、また、耐震用の重しとしても用いられる。
【００２４】
本実施形態では、第１〜第３の支柱２ａ〜２ｃの下端部と、第１〜第３のベンチ４ａ〜４ｃの下端部とに、正三角形状のベンチ連結板５が固定され、これにより、３つの支柱２ａ〜２ｃと３つのベンチ４ａ〜４ｃが、ベンチ連結板５で連結固定されることになり、これにより、第１〜第３の支柱２ａ〜２ｃを地中に埋設したり、アンカーボルトで固定したりしなくても、十分な耐震強度を備えることができるので、本実施形態の照明装置１は、いろんな場所での設置が容易である。なお、さらに耐震強度を増すために、第１〜第３の支柱２ａ〜２ｃを、設置面よりも下方（例えば、地中）に埋設して、基礎部等にアンカーボルトで固定するようにしてもよい。
【００２５】
第１の支柱２ａと第２の支柱２ｂとの間には、矩形状の第１のソーラーパネル６ａが設けられ、第２の支柱２ｂと第３の支柱２ｃとの間には、矩形状の第２のソーラーパネル６ｂが設けられ、第３の支柱２ｃと第１の支柱２ａとの間には、矩形状の第３のソーラーパネル６ｃが設けられている。各ソーラーパネルには、格子状に複数のセルが配設されている。第１〜第３のソーラーパネル６ａ〜６ｃで発電された電力は後述の蓄電池に充電され、充電された電力はＤＣ−ＡＣコンバータを介して後述の灯具に供給される。太陽光発電は周知の技術であるので、発電の原理等の説明は省略する。
【００２６】
第１のソーラーパネル６ａの上側の第１の支柱２ａと第２の支柱２ｂとの間には、矩形状の案内表示板７ａが設けられ、第２のソーラーパネル６ｂの上側の第２の支柱２ｂと第３の支柱２ｃとの間には、矩形状の案内表示板７ｂが設けられ、第３のソーラーパネル６ｃの上側の第３の支柱２ｃと第１の支柱２ａとの間には、矩形状の案内表示板７ｃが設けられている。これらの案内表示板７ａ〜７ｃには、周辺施設や、設置されている担架に関する情報が表示されている。
【００２７】
第１〜第３の支柱２ａ〜２ｃのそれぞれの上端部近傍には、ＬＥＤを光源とする照明用の第１の灯具８ａ，第２の灯具８ｂ，第３の灯具８ｃが設けられ、周囲の明るさや時間によって点灯・消灯が制御されている。
【００２８】
支柱本体部２の上端部には、装置の補強のため、第１〜第３の頂部連結部材９ａ〜９ｃが設けられている。第１の頂部連結部材９ａの一端は、第１の支柱２ａに連結され、第２の頂部連結部材９ｂの一端は、第２の支柱２ｂに連結され、第３の頂部連結部材９ｃの一端は、第３の支柱２ｃに連結され、第１の頂部連結部材９ａ、第２の頂部連結部材９ｂ、第３の頂部連結部材９ｃのそれぞれの他端同士が連結されている。
【００２９】
支柱本体部２には、３体の担架（第１の担架１０ａ，第２の担架１０ｂ，第３の担架１０ｃ）が、着脱自在に設けられている。図７、図８に示すように、第１の担架１０ａは、略平行な２本の支持棒１０Ｕ，１０Ｕと、この２本の支持棒１０Ｕ，１０Ｕの間に設けられた人体収容部１０Ｐとで構成されている。第１の担架１０ａは、災害・事故等の緊急時に人体を収容するので、強度を有する材料で形成されている。また、外部から視認可能に設置されるので、風・雨・雪等の外部環境の影響を直接受けるので、耐久性も備えていることが望ましい。本実施形態では、２本の支持棒１０Ｕ，１０Ｕは、それぞれ、パイプ状のステンレス鋼管で形成されている。第２の担架１０ｂ，第３の担架１０ｃも、第１の担架１０ａと同一形状、同一材料で形成されている。
【００３０】
支柱本体部２には、下部に下部担架着脱部１１が設けられ、上部に上部担架着脱部１２が設けられ、前述の３つの担架のそれぞれの下端部、上端部が、この下部担架着脱部１１、上部担架着脱部１２に着脱自在に取り付けられている。下部担架着脱部１１は、第１の下部担架着脱部材１１ａ，第２の下部担架着脱部材１１ｂ，第３の下部担架着脱部材１１ｃを備え、上部担架着脱部１２は、第１の上部担架着脱部材１２ａ，第２の上部担架着脱部材１２ｂ，第３の上部担架着脱部材１２ｃを備えている。
【００３１】
第１の下部担架着脱部材１１ａの一端は、第１の支柱２ａに連結され、第２の下部担架着脱部材１１ｂの一端は、第２の支柱２ｂに連結され、第３の下部担架着脱部材１１ｃの一端は、第３の支柱２ｃに連結されている。また、第１の下部着脱部材１１ａ，第２の下部着脱部材１１ｂ，第３の下部着脱部材１１ｃのそれぞれの他端同士が、支柱本体部２の中心部（前述の正三角形の中心部）で連結されている。
【００３２】
さらに、第１の下部担架着脱部材１１ａの両端部には、一対の筒状の第１の下部保持部材１３ｈ，１３ｈが設けられ、第２の下部担架着脱部材１１ｂの両端部には、一対の筒状の第２の下部保持部材１４ｈ，１４ｈが設けられ、第３の下部担架着脱部材１１ｃの両端部には、一対の筒状の第３の下部保持部材１５ｈ，１５ｈが設けられている。第１の下部保持部材１３ｈ、１３ｈには、第１の担架１０ａの２本の支持棒１０Ｕ，１０Ｕの下端部が挿脱可能であり、第２の下部保持部材１４ｈ、１４ｈには、第２の担架１０ｂの２本の支持棒１０Ｕ，１０Ｕの下端部が挿脱可能であり、第３の下部保持部材１５ｈ、１５ｈには、第３の担架１０ｃの２本の支持棒１０Ｕ，１０Ｕの下端部が挿脱可能である。
【００３３】
また、第１の上部担架着脱部材１２ａの一端は、第１の支柱２ａに連結され、第２の上部担架着脱部材１２ｂの一端は、第２の支柱２ｂに連結され、第３の上部担架着脱部材１２ｃの一端は、第３の支柱２ｃに連結されている。また、第１の上部着脱部材１２ａ，第２の上部着脱部材１２ｂ，第３の上部着脱部材１２ｃのそれぞれの他端同士が、支柱本体部２の中心部（前述の正三角形の中心部）で連結されている。
【００３４】
さらに、第１の上部担架着脱部材１２ａの両端部には、一対の筒状の第１の上部保持部材１６ｈ，１６ｈが設けられ、第２の上部担架着脱部材１２ｂの両端部には、一対の筒状の第２の上部保持部材１７ｈ，１７ｈが設けられ、第３の上部担架着脱部材１２ｃの両端部には、一対の筒状の第３の上部保持部材１８ｈ，１８ｈが設けられている。第１の上部保持部材１６ｈ、１６ｈには、第１の担架１０ａの２本の支持棒１０Ｕ，１０Ｕの上端部が挿脱可能であり、第２の上部保持部材１７ｈ、１７ｈには、第１の担架１０ｂの２本の支持棒１０Ｕ，１０Ｕの上端部が挿脱可能であり、第３の上部保持部材１８ｈ、１８ｈには、第３の担架１０ｃの２本の支持棒１０Ｕ，１０Ｕの上端部が挿脱可能である。
【００３５】
ここで、図９を参照しながら、第１の担架１０ａの着脱機構について説明する。第２の担架１０ｂ，第３の担架１０ｃの着脱機構は、第１の担架１０ａと同様であるので、説明を省略する。
図９（ａ）に示すように、第１の担架１０ａを、第１の下部担架着脱部材１１ａ，第１の上部担架着脱部材１２ａに装着したとき、第１の担架１０ａの２つの支持棒１０Ｕ，１０Ｕの下端部は、一対の第１の下部保持部材１３ｈ，１３ｈに挿着されている。また、第１の担架１０ａの２本の支持棒１０Ｕ，１０Ｕの上端部は、第１の上部保持部材１６ｈ，１６ｈに挿着されている。図示するように、この状態では、第１の担架１０ａは、容易に脱落しないように構成されている。
【００３６】
ここで、支持棒１０Ｕ，１０Ｕの長さ（厳密には、握り手部分の長さ）と、第１の下部保持部材１３ｈ，１３ｈの長さと、第１の上部保持部材１６ｈ，１６ｈの長さを適宜調整しておくことで、図９（ｂ）に示すように、第１の担架１０ａ全体を上側に持ち上げることで、支持棒１０Ｕ，１０Ｕの下端部を、第１の下部保持部材１３ｈ，１３ｈから脱離させることができる。この状態で、第１の担架１０ａを、下方又は斜め下方に引っ張ると、支持棒１０Ｕ，１０Ｕの上端部も第１の上部保持部材１６ｈ，１６ｈから脱離させることができ、図９（ｃ）に示すように、第１の担架１０ａを完全に第１の下部担架着脱部材１１ａ及び第１の上部担架着脱部材１２ａから脱離させることができる。なお、第１の上部保持部材１６ｈ，１６ｈの内径は、支持棒１０Ｕ，１０Ｕの外径に対して、ある程度拡径した方が、支持棒１０Ｕ，１０Ｕの上端部の着脱がスムーズになる。第１の担架１０ａを、第１の下部担架着脱部材１１ａ，第１の上部担架着脱部材１２ａに装着するときは、逆の操作を行えばよい。
【００３７】
同様にして、第２の担架１０ｂを、第２の下部担架着脱部材１１ｂ及び第２の上部担架着脱部材１２ｂから容易に着脱することができる。上述の第１の担架１０ａ、第１の下部担架着脱部材１１ａ、第１の上部担架着脱部材１１ｂ、第１の下部保持部材１３ｈ、第１の上部保持部材１６ｈを、それぞれ、第２の担架１０ｂ、第２の下部担架着脱部材１１ｂ、第２の上部担架着脱部材１２ｂ、第２の下部保持部材１４ｈ、第３の上部保持部材１７ｈに読み替えればよい。また、同様にして、第３の担架１０ｃを、第３の下部担架着脱部材１１ｃ及び第３の上部担架着脱部材１２ｃから容易に着脱することができる。第１の担架１０ａ、第１の下部担架着脱部材１１ａ、第１の上部担架着脱部材１１ｂ、第１の下部保持部材１３ｈ、第１の上部保持部材１６ｈを、それぞれ、第３の担架１０ｃ、第３の下部担架着脱部材１１ｃ、第３の上部担架着脱部材１１ｃ、第３の下部保持部材１５ｈ、第３の上部保持部材１８ｈに読み替えればよい。
このように、本実施形態の担架付き照明装置１は、３つの担架（１０ａ，１０ｂ，１０ｃ）を、支柱本体部２に着脱自在に取り付けることができる。また、担架を全て取り外しても、装置全体の強度が劣化することはない。
【００３８】
本実施形態の担架付き照明装置１では、太陽光発電を利用して夜間等の照明を行うので、日中に発電した電力を充電しておくための蓄電池を備えている。蓄電池は、第１の蓄電池Ｖ１，第２の蓄電池Ｖ２，第３の蓄電池Ｖ３から構成されている。蓄電池は、安全、防犯、景観等を考慮して作られた電気制御系収納盤に収納されている。電気制御系収納盤は、それぞれ、第１の蓄電池Ｖ１，第２の蓄電池Ｖ２，第３の蓄電池Ｖ３が収納される第１の電気制御系収納盤ＥＰ１，第２の電気制御系収納盤ＥＰ２，第３の電気制御系収納盤ＥＰ３から構成されている。第１の電気制御系収納盤ＥＰ１は、第１の支柱２ａと設置面との間に設けられ、第２の電気制御系収納盤ＥＰ２は、第２の支柱２ｂと設置面との間に設けられ、第３の電気制御系収納盤ＥＰ３は、第３の支柱２ｃと設置面との間に設けられている。つまり、３つの電気制御系収納盤ＥＰ１〜ＥＰ３は、支柱本体部２内部に設けられている。
【００３９】
電気制御系収納盤ＥＰ１〜ＥＰ３のそれぞれには、上枠及び下枠が設けられ、それぞれの上枠は、一端が各支柱（２ａ〜２ｃ）に連結され、他端同士が支柱本体部２の中心部で連結されている。また、それぞれの下枠も、一端が各支柱（２ａ〜２ｃ）に連結され、他端同士が、支柱本体部２の中心部で連結されている。
【００４０】
また、電気制御系収納盤ＥＰ１〜ＥＰ３には、発電・充電された直流電流を灯具８ａ〜８ｃ用に交流電流に変換するＤＣ−ＡＣコンバータ（不図示）や、灯具８ａ〜８ｃの点灯・消灯の制御を行う電気制御部（不図示）が収納されている。ソーラーパネル（６ａ〜６ｃ）、灯具（８ａ〜８ｃ）、蓄電池（Ｖ１〜Ｖ３）、電気制御部、ＤＣ−ＡＣコンバートは、対応する部品同士が電線で接続されている。
なお、図１〜図３、図６〜図８に示すように、各支柱２ａ〜２ｃの上部に、外側に突出して、装飾品（例えば、市町村のマスコットキャラクターなど）を設置してもよい。
【符号の説明】
【００４１】
１          担架付き照明装置
２          支柱本体部
２ａ        第１の支柱
２ｂ        第２の支柱
２ｃ        第３の支柱
３          テーブル板
４ａ        第１のベンチ
４ｂ        第２のベンチ
４ｃ        第３のベンチ
５          ベンチ連結板
６ａ        第１のソーラーパネル
６ｂ        第２のソーラーパネル
６ｃ        第３のソーラーパネル
７ａ        第１の案内表示板
７ｂ        第２の案内表示板
７ｃ        第３の案内表示板
８ａ        第１の灯具
８ｂ        第２の灯具
８ｃ        第３の灯具
９ａ        第１の頂部連結部材
９ｂ        第２の頂部連結部材
９ｃ        第３の頂部連結部材
１０ａ      第１の担架
１０ｂ      第２の担架
１０ｃ      第３の担架
１０Ｕ      支持棒
１０Ｐ      人体収容部
１１        下部担架着脱部
１１ａ      第１の下部担架着脱部材
１１ｂ      第２の下部担架着脱部材
１１ｃ      第３の下部担架着脱部材
１２        上部担架着脱部
１２ａ      第１の上部担架着脱部材
１２ｂ      第２の上部担架着脱部材
１２ｃ      第３の上部担架着脱部材
１３ｈ      第１の下部保持部材
１４ｈ      第２の下部保持部材
１５ｈ      第３の下部保持部材
１６ｈ      第１の上部保持部材
１７ｈ      第２の上部保持部材
１８ｈ      第３の上部保持部材
ＥＰ１      第１の電気制御系収納盤
ＥＰ２      第２の電気制御系収納盤
ＥＰ３      第３の電気制御系収納盤
Ｖ１        第１の蓄電池
Ｖ２        第２の蓄電池
Ｖ３        第３の蓄電池
【図１】
2018073662.tif 000003
【図２】
2018073662.tif 000004
【図３】
2018073662.tif 000005
【図４】
2018073662.tif 000006
【図５】
2018073662.tif 000007
【図６】
2018073662.tif 000008
【図７】
2018073662.tif 000009
【図８】
2018073662.tif 000010
【図９】
2018073662.tif 000011